(57)【要約】【課題】携帯電話機の基板を金属製のシャーシに取り付ける基板の取付構造において、簡単に基板をシャーシに取り付けると共に、両者を確実にアースして誤動作や雑音を防止する。【解決手段】シャーシ１１にナット挿入孔１２を形成し、ナット挿入孔１２に、中央部１３ａに絞り孔１３ｂが形成され、該絞り孔１３ｂの内面にネジタップが施され、該絞り孔１３ｂの周縁に取付部１３ｃが突設された金属製の基板取付用ナット１３を挿入する。基板１０にナット挿入孔１２に対応する位置にビス挿通孔１０ａを形成する。ビス挿通孔１０ａにビス１４を挿通して絞り孔１３ｂに締め付けることで、基板１０がシャーシ１１に締結される。【選択図】図６
2008042134.tif 000002
【特許請求の範囲】
【請求項１】
電子機器の基板を金属製のシャーシに取り付ける基板の取付構造において、
上記シャーシには、ナット挿入孔が形成され、
上記ナット挿入孔には、中央部に、内面にネジタップが施された絞り孔が形成され、該絞り孔の周縁に取付部が突設された金属製の基板取付用ナットが挿入され、
上記基板には、上記ナット挿入孔に対応する位置にビス挿通孔が形成され、
上記ビス挿通孔にビスを挿通して上記絞り孔に締め付けることで、上記基板が上記シャーシに締結される
ことを特徴とする基板の取付構造。
【請求項２】
請求項１に記載の基板の取付構造において、
上記基板取付用ナットは、黄銅で形成されている
ことを特徴とする基板の取付構造。
【請求項３】
請求項２に記載の基板の取付構造において、
上記シャーシは、マグネシウム合金で形成されている
ことを特徴とする基板の取付構造。
【請求項４】
請求項１乃至３のいずれか１つに記載の基板の取付構造において、
上記シャーシの表面は、低電気抵抗皮膜処理が施されている
ことを特徴とする基板の取付構造。
【請求項５】
請求項１乃至４のいずれか１つに記載の基板の取付構造において、
上記基板取付用ナットは、上記取付部の弾性により、上記ナット挿入孔の周縁に押圧すると固定保持されるように構成されている
ことを特徴とする基板の取付構造。
【請求項６】
請求項１乃至５のいずれか１つに記載の基板の取付構造において、
上記ナット挿入孔は、
上記中央部が挿入される平面視円形の中心孔と、
上記取付部が挿入され、上記基板取付用ナットの回転を防止する平面視矩形の回転防止用孔とからなる
ことを特徴とする基板の取付構造。
【請求項７】
請求項６に記載の基板の取付構造において、
上記取付部の先端には、係止爪が形成され、該係止爪が上記回転防止用孔の周縁に係止されるように構成されている
ことを特徴とする基板の取付構造。
【請求項８】
請求項１乃至７のいずれか１つに記載の基板の取付構造において、
上記基板取付用ナットは、シャーシの複数箇所に設けられている
ことを特徴とする基板の取付構造。
【請求項９】
請求項１乃至８のいずれか１つに記載の基板の取付構造において、
上記電子機器は、携帯通信機器である
ことを特徴とする基板の取付構造。
【発明の詳細な説明】
【技術分野】
【０００１】
電子機器の基板をシャーシに取り付ける構造に関する。
【背景技術】
【０００２】
従来より、電子機器の基板のアースをシャーシに落とすことがよく知られている。そのような構造において、例えば、特許文献１には、プリント基板に半田付けを行い、その後にプリント基板を筐体等の一部のシャーシに取り付けるものが開示されている。このように、プリント基板回路中のアースを板金を通してなすアース接続構造においては、半田が接続の途中に介在しないので、フラックによるアース不良が発生しないことが知られている。
【０００３】
例えば、特許文献２には、シャーシに該シャーシから切り起こした舌片を設けると共に、舌片の先端部に突起を形成し、プリント基板に舌片の突起を挿通する孔を設け、舌片とネジとでプリント基板を固定するものが開示されている。この構造では、取付精度が向上し、取付工数を低減でき、かつ構造も簡単にすることが図られている。
【特許文献１】実開昭６０−１２３９６９号公報
【特許文献２】実開平３−５３８８１号公報
【発明の開示】
【発明が解決しようとする課題】
【０００４】
しかしながら、特許文献１のように、鉄製板金シャーシに直接ビス締めすると、シャーシと基板との接触が接触面だけとなり、両者間のアースが確実に行われない場合がある。      
【０００５】
また、特許文献２では、舌片の突起は基板の孔に挿入されているだけなので、両者が確実に接触しない場合がある。
【０００６】
本発明は、かかる点に鑑みてなされたものであり、その目的とするところは、簡単に基板をシャーシに取り付けると共に、両者を確実にアースして誤動作や雑音を防止することにある。
【課題を解決するための手段】
【０００７】
上記目的を達成するために、本発明では、電子機器の基板を、基板取付用ナットを介して金属製のシャーシに取り付けるようにした。
【０００８】
具体的に、第１の発明では、電子機器の基板を金属製のシャーシに取り付ける基板の取付構造を前提とし、
上記シャーシには、ナット挿入孔が形成され、
上記ナット挿入孔には、中央部に絞り孔が形成され、該絞り孔の内面にネジタップが施され、該絞り孔の周縁に取付部が突設された金属製の基板取付用ナットが挿入され、
上記基板には、上記ナット挿入孔に対応する位置にビス挿通孔が形成され、
上記ビス挿通孔にビスを挿通して上記絞り孔に締め付けることで、上記基板が上記シャーシに締結される。
【０００９】
上記の構成によると、従来のようにシャーシに直接ビスを締結して基板とシャーシとを固定するのではなく、シャーシのナット挿入孔に挿入した基板取付用ナットにビスを締結するので、基板取付用ナットと基板とが確実に導通し、かつ、基板取付用ナットとシャーシとが導通する。このため、シャーシに直接ビスを締結する場合に比べ、基板とシャーシとがより確実に導通してアースされ、電子機器の誤動作や雑音が防止される。また、基板取付用ナットは、その取付部を絞り孔の周縁に取り付ければよいので、シャーシへの取付が容易である。
【００１０】
第２の発明では、上記基板取付用ナットは、黄銅で形成されている。
【００１１】
上記の構成によると、黄銅の展性、延性、流動性に富む性質により、基板取付用ナットの製作が容易である。また、基板取付用ナットは電導性を有するので、基板とシャーシとが確実に導通する。
【００１２】
第３の発明では、上記シャーシは、マグネシウム合金で形成されている。
【００１３】
上記の構成によると、マグネシウム合金は、比重が軽く、振動吸収性がよく、また、加工効果率が高くてくぼみ難いので、携帯する小型の電子機器に適している。また、安定した電磁波シールド性を有するため、携帯電話機への使用が適し、かつ、切削抵抗が小さく、加工が容易である。更に、リサイクル性に富むため、環境に優しい。
【００１４】
第４の発明では、上記シャーシの表面は、低電気抵抗皮膜処理が施されている。
【００１５】
すなわち、マグネシウム合金は、腐食性が激しいという欠点があるため、例えば、クロム系又はノンクロム系化成処理が行われている。これにより、表面に無機質の絶縁性皮膜が形成されるが、この皮膜をかなり薄くすると接触抵抗が出てくる。しかし、上記の構成によると、低電気抵抗皮膜処理により、抵抗値が低荷重で低く安定した数値が出るように調整されているので、耐腐食性を高めながらも、基板とシャーシとの間が確実に導通する。なお、マグネシウム合金の表面に施した低電気抵抗皮膜処理は、微視的に観察すると、いずれの箇所も均一に覆われているわけではなく、部分的に組成が若干異なり、ハニカム状であるβ相部分のために導通抵抗が低くなることが知られている。
【００１６】
第５の発明では、上記基板取付用ナットは、上記取付部の弾性により、上記ナット挿入孔の周縁に押圧すると固定保持されるように構成されている。
【００１７】
上記の構成によると、基板取付用ナットをナット挿入孔に押し込むだけで、取付部の弾性によってシャーシに固定保持されるので、基板のシャーシへの取付が極めて容易である。
【００１８】
第６の発明では、上記ナット挿入孔は、
上記中央部が挿入される平面視円形の中心孔と、
上記取付部が挿入され、上記基板取付用ナットの回転を防止する平面視矩形の回転防止用孔とからなる。
【００１９】
上記の構成によると、取付部を回転防止用孔に挿入して基板取付用ナットをナット挿入孔に仮固定するだけで、基板取付用ナットの回転が防止できるので、その後のビス締めが極めて容易になる。
【００２０】
第７の発明では、上記取付部の先端には、係止爪が形成され、該係止爪が上記回転防止用孔の周縁に係止されるように構成されている。
【００２１】
上記の構成によると、取付部を回転防止用孔に挿入した際に、その先端の係止爪が上記回転防止用孔の周縁に係止されるので、より確実に基板取付用ナットの抜け止めが行われる。
【００２２】
第８の発明では、上記基板取付用ナットは、シャーシの複数箇所に設けられている。
【００２３】
上記の構成によると、基板が確実にシャーシに取り付けられると共に、アースの導通の信頼性が増す。
【００２４】
第９の発明では、上記電子機器は、携帯通信機器とする。
【００２５】
上記の構成によると、携帯電話機などの携帯通信機器は、誤動作や雑音を防止するために確実にアースされていることが必要であるが、本発明により、誤動作や雑音が確実に防止される。
【発明の効果】
【００２６】
以上説明したように、本発明によれば、基板を、金属製基板取付用ナットを介して金属製シャーシに取り付けるようにしたことにより、簡単に基板をシャーシに取り付けることができると共に、両者を確実にアースして誤動作や雑音を防止することができる。
【発明を実施するための最良の形態】
【００２７】
以下、本発明の実施形態を図面に基づいて説明する。
【００２８】
図１は、本発明の実施形態にかかる携帯電話機の開いた状態を示す斜視図である。図２は、携帯電話機の閉じた状態を示す斜視図である。
【００２９】
本実施形態の電子機器（携帯通信機器）としての折畳み式携帯電話機１は、表示部５、受話部６等を閉じた状態の内面に有する第１の筐体２と、送話部７、操作部８等を閉じた状態の内面に有する第２の筐体３とを備えている。第１の筐体２と第２の筐体３とは、ヒンジ部４によって開閉可能に連結されている。
【００３０】
図３は、基板及びシャーシの分解図である。図４は、基板取付用ナットが仮止めされたマグネシウムフレームを基板側から見た平面図である。図５は、図４のＶ部拡大図である。図６は、図５のVI−VI線断面図である。図７は、ナットの斜視図である。
【００３１】
図３に示すように、第２の筐体３の内部には、携帯電話機１の電子回路が配設された略矩形板状の基板１０が設けられている。この基板１０は、該基板１０よりも若干大きい矩形板状のシャーシ１１に固定されるようになっている。シャーシ１１は、マグネシウム合金で形成されている。すなわち、マグネシウム合金は、比重が軽く、振動吸収性がよく、また、加工効果率が高くてくぼみ難いので、携帯する小型の携帯電話機１に適している。また、安定した電磁波シールド性を有するため、携帯電話機１への使用が適し、かつ、切削抵抗が小さく、加工が容易である。更に、リサイクル性に富むため、環境に優しい。
【００３２】
シャーシ１１の表面には、低電気抵抗皮膜処理がなされている。すなわち、シャーシ１１の表面にクロム系又はノンクロム系化成処理のような標準の低抵抗皮膜処理をもとにして、各液の組成、条件を変化させ、更に後処理を加えて抵抗値が低荷重で低く安定した数値が出るように調整した皮膜が形成されている。マグネシウム合金の表面に施した低電気抵抗皮膜処理は、微視的に観察すると、いずれの箇所も均一に覆われているわけではなく、部分的に組成が若干異なり、ハニカム状であるβ相部分のために導通抵抗が低くなることが知られている。この低電気抵抗皮膜処理により、耐腐食性を高めながらも、基板１０とシャーシ１１との間が確実に導通するようになっている。
【００３３】
図４に示すように、シャーシ１１の上端と下端とには、それぞれナット挿入孔１２が形成されている。一方、図３に示すように、基板１０には、上記ナット挿入孔１２に対応する位置にビス挿通孔１０ａが形成されている。ビス挿通孔１０ａの周縁には、金メッキ（図示せず）が施されている。
【００３４】
図５に示すように、ナット挿入孔１２は、平面視円形の中心孔１２ａと、この両側に所定の距離をあけて設けられた一対の平面視矩形の回転防止用孔１２ｂとからなる。
【００３５】
図６に示すように、このナット挿入孔１２に金属製の基板取付用ナット１３が挿入されるようになっている。図７に示すように、基板取付用ナット１３は、円柱状の中央部１３ａを備え、その中央部の中心には、絞り孔１３ｂが形成されている。この絞り孔１３ｂの内面には、ネジタップが施されている。この絞り孔１３ｂの周縁には、中央部１３ａの両端に曲げ加工によって形成された一対のＬ字状の取付部１３ｃが突設されている。取付部１３ｃの先端には、更に外側へ水平に折り曲げられた係止爪１３ｄが形成されている。この取付部１３ｃの構成により、取付部１３ｃは適度な弾性を有している。この基板取付用ナット１３は、黄銅で形成されている。黄銅の展性、延性、流動性に富む性質を利用すれば、基板取付用ナット１３の製作が容易である。
【００３６】
この基板取付用ナット１３をナット挿入孔１２に仮止めするには、ナット挿入孔１２の中心孔１２ａに中央部１３ａを挿入すると共に、回転防止用孔１２ｂに取付部１３ｃを挿入する。このとき、取付部１３ｃは、弾性を有するので、この弾性により、基板取付用ナット１３は、回転防止用孔１２ｂに押圧すると固定保持されるように構成されている。このことで、基板取付用ナット１３の回転を防止しながら、基板取付用ナット１３がナット挿入孔１２に仮止めされるようになっている。
【００３７】
図３に示すように、ビス挿通孔１０ａにビス１４を挿通して絞り孔１３ｂに締め付けることで、上記基板１０が上記シャーシ１１に締結されるようになっている。
【００３８】
−組付手順−
次に、本実施形態にかかる基板１０をシャーシ１１に組み付ける手順について説明する。
【００３９】
まず、図３に示すように、基板取付用ナット１３をナット挿入孔１２の下側から押し込みように挿入する。つまり、図６に示すように、ナット挿入孔１２の中心孔１２ａに中央部１３ａを挿入すると共に、回転防止用孔１２ｂに取付部１３ｃを挿入する。このとき、取付部１３ｃは、弾性を有するので、この弾性により、基板取付用ナット１３は、回転防止用孔１２ｂに押圧すると固定保持される。また、取付部１３ｃの先端の係止爪１３ｄが回転防止用孔１２ｂに引っ掛かり、抜け止めされる。このため、基板取付用ナット１３をナット挿入孔１２に押し込むだけで、シャーシ１１に固定保持されるので、基板１０のシャーシ１１への取付が極めて容易である。このように、基板取付用ナット１３の回転を防止しながら、基板取付用ナット１３がナット挿入孔１２に仮止めされる。また、取付部１３ｃを回転防止用孔１２ｂに挿入して基板取付用ナット１３をナット挿入孔１２に仮固定するだけで、基板取付用ナット１３の回転が防止できるので、ビス１４の締め付けが極めて容易になる。基板取付用ナット１３は電導性を有するので、基板１０とシャーシ１１とが確実に導通する。
【００４０】
次いで、図３に示すように、基板１０をシャーシ１１の上から位置決めされた位置に置く。
【００４１】
次いで、ビス挿通孔１０ａに上側からビス１４を挿通し、絞り孔１３ｂに締め付ける。このことで、基板１０がシャーシ１１に締結される。つまり、従来のようにシャーシ１１に直接ビス１４を締結して基板１０とシャーシ１１とを固定するのではなく、シャーシ１１のナット挿入孔１２に挿入した基板取付用ナット１３にビス１４を締結するので、基板取付用ナット１３と基板１０とが確実に導通してアースされ、かつ、基板取付用ナット１３とシャーシ１１とが導通する。このため、シャーシ１１に直接ビス１４を締結する場合に比べ、基板１０とシャーシ１１とがより確実に導通し、携帯電話機１の誤動作や雑音が防止される。図６に示すように、基板取付用ナット１３の中央部１３ａは、その先端は基板１０に接触し、外周がシャーシ１１に接触している。ビス１４を締め付けることにより、これらの接触部には締付圧が発生し、低電気抵抗皮膜処理されたシャーシ１１との間に低く安定した抵抗値の数値が出るようになる。
【００４２】
また、基板取付用ナット１３は、シャーシ１１の複数箇所に設けられているので、基板１０が確実にシャーシ１１に取り付けられると共に、アースの導通の信頼性が増す。
【００４３】
−実施形態の効果−
したがって、本実施形態にかかる携帯電話機１によると、基板１０を、金属製基板取付用ナット１３を介して金属製シャーシ１１に取り付けるようにしたことにより、簡単に基板１０をシャーシ１１に取り付けることができると共に、両者を確実にアースして誤動作や雑音を防止することができる。
【００４４】
（その他の実施形態）
本発明は、上記実施形態について、以下のような構成としてもよい。
【００４５】
すなわち、上記実施形態では、電子機器は、携帯電話機１としたが、ＰＣ、モバイルツール、電子辞書、電卓、複写機等であってもよい。
【００４６】
また、ＰＨＳ、ＰＤＡなどの携帯通信機器であってもよい。誤動作や雑音を防止するために確実にアースされていることが必要な携帯電話機１などの携帯通信機器において、本発明の効果が顕著に発揮される。
【００４７】
なお、以上の実施形態は、本質的に好ましい例示であって、本発明、その適用物や用途の範囲を制限することを意図するものではない。
【産業上の利用可能性】
【００４８】
以上説明したように、本発明は、携帯電話機に代表される携帯通信機器を含む電子機器の基板を金属製シャーシに取り付ける構造について有用である。
【図面の簡単な説明】
【００４９】
【図１】本発明の実施形態にかかる携帯電話機の開いた状態を示す斜視図である。
【図２】携帯電話機の閉じた状態を示す斜視図である。
【図３】基板及びシャーシの分解図である。
【図４】基板取付用ナットが仮止めされたマグネシウムフレームを基板側から見た平面図である。
【図５】図４のＶ部拡大図である。
【図６】図５のVI−VI線断面図である。
【図７】ナットの斜視図である。
【符号の説明】
【００５０】
１      携帯電話機（電子機器、携帯通信機器）
１０      基板
１０ａ    ビス挿通孔
１１      シャーシ
１２      ナット挿入孔
１２ａ    中心孔
１２ｂ    回転防止用孔
１３      基板取付用ナット
１３ａ    中央部
１３ｂ    絞り孔
１３ｃ    取付部
１３ｄ    係止爪
１４      ビス
【図１】
2008042134.tif 000003
【図２】
2008042134.tif 000004
【図３】
2008042134.tif 000005
【図４】
2008042134.tif 000006
【図５】
2008042134.tif 000007
【図６】
2008042134.tif 000008
【図７】
2008042134.tif 000009